(57)【要約】【課題】薄手の手袋を短時間に安全に装着可能で、しかも、手指を手袋内に挿入しようとする際に、手袋が下方に動いて装着感が損なわれることを防止できる手袋装着装置を得る。【解決手段】吊下げられた複数の手袋ＧＲのうちの最前列の手袋ＧＲの開口部を手指挿入可能な大きさに開く開口手段を設ける。該開口手段は、最前列の手袋ＧＲの中に挿入された後、該手袋ＧＲを外側に押して開口部を開く一対の爪板２２、２２を備えるものとする。そして爪板２２は、手袋ＧＲ内に挿入された状態において該手袋ＧＲ内で横方向に延びる上端面を持つ横部材２２Ｈを有する形状のものとする。【選択図】図１８
2015172259.tif 000002
【特許請求の範囲】
【請求項１】
甲側部分および掌側部分のうちの一方の開口部エッジが他方の開口部エッジよりも指側に偏位して形成されてなる複数の手袋を、各手袋の開口部を上方に向け、下方側に位置する開口部エッジを備えた手袋部分を前側とし、かつ上方側に位置する開口部エッジを備えた後側の手袋部分の開口部エッジ近傍を前記下方側に位置する開口部エッジの上方において係止して、前後に並列的に整列させた状態で吊下げる吊下げ手段と、
前記吊下げられた複数の手袋のうちの最前列の手袋の開口部を手指挿入可能な大きさに開く開口手段と、
該開口手段を駆動する駆動手段と、
を備えてなり、
前記開口手段が、最前列の手袋の中に挿入された後、該手袋を外側に押して前記開口部を開く一対の爪板を備え、
前記爪板が、手袋内に挿入された状態において該手袋内で横方向に延びる上端面を持つ横部材を有していることを特徴とする手袋装着装置。
【請求項２】
前記爪板によって押された手袋を受け止めて、該手袋を爪板との間に保持する保持面が設けられていることを特徴とする請求項１記載の手袋装着装置。
【請求項３】
前記一対の爪板が、最前列の手袋の、前側かつ下方側の開口部エッジから該開口部エッジに対し略平行となる状態で該手袋内に上方から挿入された後、鉛直方向に延びる軸の周りで略９０°回動されて該手袋の開口部を開くように構成されていることを特徴とする請求項１または２記載の手袋装着装置。
【発明の詳細な説明】
【技術分野】
【０００１】
本発明は手袋の装着装置に関し、特に、実質的に伸縮性を備えていない薄手の手袋の装着に適した手袋装着装置に関するものである。
【背景技術】
【０００２】
従来、手の挿入口から手を挿入するだけで手袋を手指に装着することができる手袋装着方法および装置が種々提案されている。
【０００３】
例えば特許文献１には、伸縮自在な材料で形成された手袋を手指に装着する方法および装置が開示されている。この方法は、手袋の開口部の一方側と他方側とを保持手段により開口部を上方に向けて保持してその弾性力に抗して伸長させ、この伸長された手袋の開口部に使用者の手指を挿入してこの手袋を装着した後、上記保持手段を開放して、保持手段から手袋を離脱させることを特徴とするものである。
【０００４】
しかしながら、この手袋の装着方法には、下記のような問題があった。すなわち、
（１）手袋の開口部を保持してその弾性力に抗して伸長させる必要があるから、ポリエチレン樹脂等からなる実質的に伸縮性を有しない手袋には適用できない。
（２）手袋の装着に先立って、手袋を１枚ずつ手袋保持手段に取り付けなければならないから、そのための手間と時間を必要とする。
（３）上記手袋保持手段に手袋を１枚ずつ取り付ける際に手が手袋の指に触れて清潔性が損なわれたり、専用の取付け装置が必要になったりする。
【０００５】
以上の問題を解決できる手袋装着装置として、特許文献２に記載された装置も知られている。この特許文献２に記載された手袋装着装置は、
甲側部分および掌側部分のうちの一方の開口部エッジが他方の開口部エッジよりも指側に偏位して形成されてなる複数の手袋を、各手袋の開口部を上方に向け、下方側に位置する開口部エッジを備えた手袋部分を前側とし、かつ上方側に位置する開口部エッジを備えた後側の手袋部分の開口部エッジ近傍を前記下方側に位置する開口部エッジの上方において係止して、前後に並列的に整列させた状態で吊下げる吊下げ手段と、
前記吊下げられた複数の手袋のうちの最前列の手袋の開口部を手指挿入可能な大きさに開く開口手段と、
該開口手段を駆動する駆動手段と、
を備えてなるものである。
【先行技術文献】
【特許文献】
【０００６】
【特許文献１】特開平１０−１０８８７０号
【特許文献２】再公表公報ＷＯ２００３/０７３８７９
【発明の概要】
【発明が解決しようとする課題】
【０００７】
特許文献２に示された手袋装着装置は、所期の目的通り、実質的に伸縮性を備えていない薄手の手袋を、清潔性を保った状態で極めて短時間に安全に装着可能とするものである。しかしその半面、特許文献２に示された手袋装着装置には、開口手段によって開かれた開口部から手指を手袋内に挿入しようとする際に、手袋が手指に誘われる形で下方に動いてしまい、それによって装着感が損なわれるという問題も認められる。
【０００８】
そこで本発明は、実質的に伸縮性を備えていない薄手の手袋を、清潔性を保った状態で極めて短時間に安全に装着可能で、しかも、開口部から手指を手袋内に挿入しようとする際に、手袋が下方に動いて装着感が損なわれることを防止できる手袋装着装置を提供することを目的とする。
【課題を解決するための手段】
【０００９】
本発明による手袋装着装置は、
甲側部分および掌側部分のうちの一方の開口部エッジが他方の開口部エッジよりも指側に偏位して形成されてなる複数の手袋を、各手袋の開口部を上方に向け、下方側に位置する開口部エッジを備えた手袋部分を前側とし、かつ上方側に位置する開口部エッジを備えた後側の手袋部分の開口部エッジ近傍を前記下方側に位置する開口部エッジの上方において係止して、前後に並列的に整列させた状態で吊下げる吊下げ手段と、
前記吊下げられた複数の手袋のうちの最前列の手袋の開口部を手指挿入可能な大きさに開く開口手段と、
該開口手段を駆動する駆動手段と、
を備えてなり、
前記開口手段が、最前列の手袋の中に挿入された後、該手袋を外側に押して前記開口部を開く一対の爪板を備え、
前記爪板が、手袋内に挿入された状態において該手袋内で横方向に延びる上端面を持つ横部材を有していることを特徴とするものである。
【００１０】
なお、この本発明による手袋装着装置においては、前記爪板によって押された手袋を受け止めて、手袋を爪板との間に保持する保持面が設けられていることが好ましい。
【００１１】
さらに本発明による手袋装着装置においては、前記一対の爪板が、最前列の手袋の、前側かつ下方側の開口部エッジから該開口部エッジに対し略平行となる状態で該手袋内に上方から挿入された後、鉛直方向に延びる軸の周りで略９０°回動されて該手袋の開口部を開くように構成されていることが好ましい。
【００１２】
また本発明による手袋装着装置において、上記吊下げ手段は、上方側に位置する開口部エッジを備えた手袋部分、すなわち甲側部分の開口部エッジ近傍に形成された孔を貫通して前後方向に略水平に延びる例えば２本の係止ロッドを備え、これら係止ロッドに、複数の手袋を前後に並列的に整列して吊り下げ可能とされていることが好ましい。
【００１３】
さらに本発明による手袋装着装置は、上記吊下げ手段により吊り下げられた複数の手袋のうちの最後列の手袋を、下方側に位置する開口部エッジの近傍においてこの手袋の後方側から前方に向かって弾性的に押圧する押圧手段を備えていることが好ましい。
【００１４】
さらに上記駆動手段は、足踏みペダルにより作動されるものであることが好ましい。
【発明の効果】
【００１５】
本発明による手袋装着装置は、
甲側部分および掌側部分のうちの一方の開口部エッジが他方の開口部エッジよりも指側に偏位して形成されてなる複数の手袋を、各手袋の開口部を上方に向け、下方側に位置する開口部エッジを備えた手袋部分を前側とし、かつ上方側に位置する開口部エッジを備えた後側の手袋部分の開口部エッジ近傍を前記下方側に位置する開口部エッジの上方において係止して、前後に並列的に整列させた状態で吊下げる吊下げ手段と、
前記吊下げられた複数の手袋のうちの最前列の手袋の開口部を手指挿入可能な大きさに開く開口手段と、
該開口手段を駆動する駆動手段と、
を備えてなるものであるので、この手袋装着装置によれば、実質的に伸縮性を備えていない薄手の手袋を、清潔性を保った状態で極めて短時間に安全に装着可能となる。
【００１６】
その上で本発明による手袋装着装置は、
前記開口手段が、最前列の手袋の中に挿入された後、該手袋を外側に押して前記開口部を開く一対の爪板を備え、
前記爪板が、手袋内に挿入された状態において該手袋内で横方向に延びる上端面を持つ横部材を有しているので、この手袋装着装置によれば、開口部から手指を手袋内に挿入しようとする際に、手袋が下方に動いてしまって装着感が損なわれることを確実に防止可能となる。その理由については、後に実施の形態に沿って詳しく説明する。
【図面の簡単な説明】
【００１７】
【図１】本発明による手袋装着装置の一実施の形態において、スライド開閉式のドアが閉じている初期状態を示す装置全体の正面図
【図２】図１の手袋装着装置において、上記ドアが開いた作動状態を示す装置全体の正面図
【図３】図１の手袋装着装置で用いられる右手用の手袋の正面図
【図４】右手用袋を収容したマガジンを一部省略ないし切除して示す正面図
【図５】図４のマガジンの平面図
【図６】図４のＶＩ−ＶＩ線に沿った横断面図
【図７】手袋開口機構の作動が開始される以前の初期状態におけるマガジンを示す縦断面図
【図８】手袋開口機構の作動開始後の中間状態におけるマガジンの要部を示す縦断面図
【図９】手袋開口機構の変形を示す図７に対応する縦断面図
【図１０】初期状態におけるドア開閉機構を示す平面図
【図１１】作動状態におけるドア開閉機構を示す平面図
【図１２】初期状態における手袋開口機構の駆動機構の一部を省略して示す平面図
【図１３】図１２のＸＩＩＩ−ＸＩＩＩ線に沿った断面を示す側面図
【図１４】作動状態における図１２の手袋開口機構の駆動機構を示す側面図
【図１５】初期状態における右手用手袋の開口機構の要部の構成を示す正面図
【図１６】図１４の機構の右半部を一部断面として拡大して示す平面図
【図１７】爪板を保持した移動板の駆動機構を一部断面として拡大して示す正面図
【図１８】作動開始後の中間状態における右手用手袋の開口機構の要部の構成を示す正面図
【図１９】作動状態における右手用手袋の開口機構の要部の構成を示す正面図
【図２０】図１９の機構の右半部を一部断面として拡大して示す平面図
【図２１】手袋開口機構を構成する爪板の別の例を示す正面図
【図２２】手袋開口機構を構成する爪板のさらに別の例を示す正面図
【図２３】手袋開口機構に保持された手袋の状態を示す概略図
【発明を実施するための形態】
【００１８】
以下、図面に示す手袋装着装置の実施の形態に基づいて本発明を詳細に説明する。なお、以下の図において、特に左右および中央に設けられた類似の部材を区別する必要がある場合には、各部材を示す数字の後に、Ｌ（左），Ｃ（中央），Ｒ（右）を付して示してある。
【００１９】
図１および図２は、本発明による手袋装着装置の全体構成を概略的に示す正面図であり、図１はスライド開閉式のドアが閉じている初期状態を、図２は上記ドアが開いた作動状態をそれぞれ示す。
【００２０】
図１および図２において、この手袋装着装置１は、そのハウジング２の前面には、それぞれ左右にスライド式に開閉される一対のドア部材３Ｌ，３Ｒからなるスライドドア４Ｌ，４Ｒを備えている。左側のスライドドア４Ｌの背後には、多数枚の左手用手袋ＧＬを収容したマガジン５Ｌがハウジング２に対して着脱可能に取り付けられ、右側のドア４Ｒの背後には、多数枚の右手用手袋ＧＲを収容したマガジン５Ｒがハウジング２に対して着脱可能に取り付けられている。マガジン５Ｌ，５Ｒは、ハウジング２の頂部を覆うカバー２１を開いて、上方からハウジング２に着脱されるようになっている。
【００２１】
この手袋装着装置１は、右側のドア４の下方に設けられた足踏み式のペダル７を踏み込むことによって、すべての機構が一斉に機械的に作動され、かつペダル７から足を離すと、初期状態に戻るように構成されている。このペダル７には、ペダル７から上方へ延びてメインベース２４を貫通している駆動ワイヤ６の一端が係止されており、駆動ワイヤ６の他端は、メインベース２４上の後述するスライドベース２７に係止されている（図９および図１２参照）。
【００２２】
そして、図１に示すドア４Ｌ，４Ｒが閉じている初期状態からペダル７を踏み込むことにより、駆動ワイヤ６が下方へ引かれ、後述するドア開閉機構が作動されて、ドア４Ｌ，４Ｒのそれぞれの左側のドア部材３Ｌが左方に、右側のドア部材３Ｒが右方に摺動されて、図２に示す状態となり、最前列の手袋ＧＬ，ＧＲをハウジング２の前面に露出させるとともに、上記駆動ワイヤ６によって後述する手袋開口機構も同時に作動されて、手袋開口機構が備えている爪板２２，２２によって最前列の手袋ＧＬ，ＧＲの上方を向いている開口部が手指挿入可能な大きさに開かれるように構成されている。各ドア部材３Ｌ，３Ｒの下端部にはボールベアリング２５が２個ずつ取り付けられて、ドア４Ｌ，４Ｒの開閉を円滑にしている。
【００２３】
図３は右手用の手袋ＧＲの正面図、図４〜図８は多数枚（最大約５００枚）の右手用の手袋ＧＲを収容したマガジン５Ｒを一部省略ないし切除して示す図であり、図４はマガジン５Ｒの正面図、図５は平面図、図６は図４のＶＩ−ＶＩ線に沿った横断面図、図７は手袋開口機構が作動される以前の初期状態を示す縦断面図、図８は手袋開口機構の作動が開始された後の中間状態を示す要部の縦断面図である。
【００２４】
図３から明らかなように、手袋ＧＲは（手袋ＧＬも同様）、実質的に伸縮性を備えていない薄いポリエチレン樹脂により形成され、図４に示すように、その掌側部分を前方（手前側）に向け、開口部８を上方に向けて、掌側部分と甲側部分とを密着させた状態で、マガジン５Ｒ内に吊下げ状態で前後に並列的に整列して収容されている。
【００２５】
この手袋ＧＲは、図３および図４に示す状態でそれぞれ左右方向に直線的に延びる掌側部分の開口部エッジ８Ｄと甲側部分の開口部エッジ８Ｕとを備えているが、両エッジ８Ｄ，８Ｕの位置（高さ）が一致しておらず、前側となる掌側部分の開口部エッジ８Ｄが甲側部分の開口部エッジ８Ｕよりも指側に、すなわち吊下げ状態で下方に偏位した状態に形成されている。そして、掌側部分の開口部エッジ８Ｄの上方における甲側部分の開口部エッジ８Ｕの近傍の左右両端に小孔１０，１０が開けられ、さらに、各小孔１０とその上方の開口部エッジ８Ｕの間にミシン目（脆弱部）１１が延設されている。
【００２６】
上記小孔１０，１０は、この手袋ＧＲを吊下げ係止するためにマガジン５Ｒに設けられている、前後方向に略水平に延びる２本の係止ロッド９，９を貫通させるための被係止孔であり、上記ミシン目（脆弱部）１１，１１は、上記係止ロッド９，９によってマガジン５Ｒ内に吊下げられた手袋群の最前列の手袋ＧＲの開かれた開口部から手指を挿入して手袋ＧＲを装着した後に、手を下方に押し下げることにより、その手袋ＧＲのミシン目１１，１１が破断されて小孔１０，１０と開口部エッジ８Ｕとが連通して、手指に装着された手袋ＧＲの係止ロッド９，９からの離脱を容易にしている。なお上記吊下げ用の小孔１０，１０は、一般には係止ロッド９，９の断面形状に対応した丸孔とされるが、これに限らず、係止ロッド９，９を貫通させることが可能であれば十字状の切溝であってもよい。
【００２７】
マガジン５Ｒは、前方が開放された箱状に形成され、かつ図５から明らかなように、上壁５ａの前縁５ｂは中央部が切り欠かれて後方に引っ込んでいる。係止ロッド９，９は、左右方向に延びる細長い手袋受板１２の背面から受板１２の面と直角に後方に延びており、係止ロッド９，９の自由端である後端から多数枚の手袋ＧＲが上記小孔１０，１０を通じて係止ロッド９，９に挿通されるようになっている。受板１２の上部背面には側方から見てＬ字状のブラケット１３が溶接されており、受板１２は、図７から明らかなように、マガジン５Ｒの上壁５ａの後方へ引っ込んだ前縁５ｂから下方へ垂下される態様で、その面をマガジン５Ｒの前面と平行になるように前方に向けて、マガジン５Ｒの上壁５ａにブラケット１３を介して着脱可能に固定されるようになっている。
【００２８】
またマガジン５Ｒは、係止ロッド９，９に吊り下げられた手袋群の上部を後方から押圧する押圧板１５を備えている。この押圧板１５には、その背面の左右端から後方へ延びてマガジン５の後壁５ｃを貫通する一対のロッド１６，１６が固定され、各ロッド１６の押圧板１５とマガジン５の後壁５ｃとの間にコイルスプリング１７が縮装されていることにより、押圧板１５が前方に向かってバネ付勢され、手袋群の上端部を受板１２の背面に押し付けている。押圧板１５は、係止ロッド９，９に遊嵌されているとともに、押圧板１５の前面の左右両側には、一対の押圧ブロック１８，１８が前方に突出するように固定され、さらに押圧ブロック１８，１８間を連結して、比較的ピッチの細かいコイルスプリング１９が水平に架張されている。押圧ブロック１８，１８とコイルスプリング１９とは、最後列の手袋ＧＲの掌側開口部エッジ８Ｄの若干下方部位を最後列の手袋ＧＲの後側から押圧し得る高さ位置に設けられている。
【００２９】
マガジン５Ｒの前面の左右両側には、上記押圧ブロック１８，１８とほぼ同様の左右間隔を有しかつ押圧ブロック１８，１８よりも若干下方の高さ位置に一対の押えローラ２０，２０が設けられており、これら押えローラ２０，２０は，図４および図７から明らかなように、最前列の手袋ＧＲの掌側部分の開口部エッジ８Ｄの下方の両端部に当接している。このように、係止ロッド９，９に吊り下げられた手袋群の掌側部分の開口部エッジ８Ｄの若干下方の部位が、押圧ブロック１８，１８および押圧ブロック１８，１８間に架張されたコイルスプリング１９によって後側から押圧され、かつこの押圧部位よりも下方の部位の両側が押えローラ２０，２０によって前面側から押さえられていることにより、図７から明らかなように、マガジン５Ｒ内に吊下げ状態で収容された全手袋の掌側部分の開口部エッジ８Ｄ近傍が前方に膨出した状態となる。すなわち、最前列の手袋についてみれば、掌側部分の開口部エッジ８Ｄ近傍において甲側部分が前方に膨出し、これによって、掌側部分の開口部エッジ８Ｄが前方に開いた状態となっている。そして図７から明らかなように、この初期状態において、受板１２の中央部の前方において、手袋開口機構が備えている下方を向いた一対の爪板２２，２２（図１、図１５参照）が上記膨出部の上方に位置している。
【００３０】
図１５に明示されるように各爪板２２は、略垂直方向に延びる縦部材２２Ｖと、この縦部材２２Ｖの下端から略水平方向に延びる横部材２２Ｈと、上記縦部材２２Ｖを駆動手段に連結するための連結部２２Ｃとを有する形状とされている。
【００３１】
上記の初期状態から、ペダル７が踏まれることによって、ドア４Ｌ，４Ｒが開作動されると同時に、後述する図１５以降に示す手袋開口機構が作動されると、上記一対の爪板２２，２２が最前列の手袋の前面に沿って掌側部分の開口部エッジ８Ｄに向かって下降する。爪板２２，２２は、その下方部分２２ａ（少なくとも横部材２２Ｈの下端を含む部分）が図７に示すように後方に屈曲した状態に形成されているため、爪板２２，２２が下降したとき、爪板２２，２２の下端（より詳しくは横部材２２Ｈの下端）が、最前列の手袋の掌側部分の開口部エッジ８Ｄの近傍の甲側部分の膨出部に当接する。したがってこの膨出部が爪板２２，２２によって後方へ押されるが、この力が手袋群を通じてコイルスプリング１９の中央部分に伝達されて、コイルスプリング１９の中央部分を図８に示すように弾性的に後方へ撓ませる。したがって、甲側部分の膨出部が後方へ引っ込み、爪板２２，２２は甲側部分の内面に沿ってスライドしながら手袋ＧＲ内に挿入される。手袋ＧＲ内に挿入された爪板２２，２２は、次に後述するように下降と同時に左右方向にも移動し、次いで鉛直軸の周りで略９０°回動されることによって、手袋ＧＲの開口部を手指挿入可能な大きさに開口させる。
【００３２】
なお、図９に示すように、係止ロッド９の後部を固定し、薄い手袋受け板１２´を係止ロッド９の前端に軽く接触させた変形構造も考えられる。その場合は、手袋は係止ロッド９の前端から取り出せるから、手袋にミシン目を設ける必要がない利点がある。
【００３３】
ハウジング２のメインベース２４上には、ドア開閉機構と、手袋開口機構の駆動機構とが設けられているが、先ずドア開閉機構について図１０および図１１を参照して説明する。図１０は、ドア４Ｌ，４Ｒが閉じた図１に対応する初期状態を示す平面図、図１１は、ドア４Ｌ，４Ｒが開いた図２に対応する作動状態を示す平面図である。
【００３４】
図１０を参照すると、メインベース２４上の後部には、左右方向に水平に延びる一対のガイドロッド２６，２６が固定され、これらガイドロッド２６，２６に、前方側に水平に延びるスライドベース２７がガイドロッド２６，２６に沿って摺動可能に設けられている。前述のペダル７に一端を係止された駆動ワイヤ６は、メインベース２４に開けられた孔２４ａを貫通し、メインベース２４上に設けられたプーリ３３によってガイドロッド２６，２６と平行になるように左方に直角に屈曲されて他端をスライドベース２７に係止されている。
【００３５】
また、メインベース２４上には、ドア４Ｌ，４Ｒのそれぞれの左側のドア部材３Ｌ，３Ｌ同士を連結する連結部材２８Ｌと、右側のドア部材３Ｒ，３Ｒ同士を連結する連結部材２８Ｒとが、左右方向に移動可能に設けられているとともに、これら連結部材２８Ｌ，２８Ｒは、メインベース２４上に設けられた鉛直軸２９に軸支された回動部材３０の両端に、ピンと長孔との係合を介して連結されている。連結部材２８Ｌ，２８Ｒに対する回動部材３０の連結点が鉛直軸２９から等距離にあり、かつ一方の連結部材２８Ｒが、ガイドロッド２６，２６と平行に延びる連結ワイヤ３１を介してスライドベース２７に連結され、さらに回動部材３０の連結部材２８Ｒ側の先端に一端を係止されて左方に延びる引張りプリング３２の他端がメインベース２４に係止されていることにより、連結部材２８Ｌは右方に、連結部材２８Ｒは左方にそれぞれバネ付勢され、これによってドア４Ｌ，４Ｒが閉鎖状態に保持されるとともに、スライドベース２７がその移動行程の左端に位置して、ペダル７が図１に示す初期位置に保たれている。
【００３６】
この初期状態からペダル７を踏み込むと、スライドベース２７が駆動ワイヤ６に引かれて右方へ移動して図１１に示す状態となり、連結部材２８Ｒがプリング３２の付勢力に抗して右方へ移動するとともに、回動部材３０が時計方向へ回動して、連結部材２８Ｌを左方へ移動させるから、ドア４Ｌ，４Ｒが開かれる。そして、ペダル７から足を離せば，スライドベース２７、連結部材２８Ｒ，２８Ｌがスプリング３２の付勢力により、図９に示す初期状態に戻る。
【００３７】
図１２〜図１４は、図１５以降に示す手袋開口機構を駆動するための駆動機構を示し、図１２は初期状態を一部省略して示す平面図、図１３は図１２のＸＩＩＩ−ＸＩＩＩ線に沿った断面を示す側面図、図１４は同作動状態を示す側面図である。
【００３８】
メインベース２４上の後部には、その左右端と中央とにそれぞれ支柱３４Ｌ，３４Ｃ，３４Ｒが左右方向に所定の間隔を保って立設され、各支柱３４Ｌ，３４Ｃ，３４Ｒには、前方に延びるアーム３５Ｌ，３５Ｃ，３５Ｒの基端が左右方向に水平に延びる軸線の周りで揺動自在に軸支されている。アーム３５Ｌ，３５Ｃ，３５Ｒは、左右方向に互いに平行に水平に延びる３本の連結部材３６〜３８によって互いに連結されて一体に揺動するように構成されているとともに、上記スライドベース２７の前端に一端を係止されて左方へ延びるワイヤ３９が、プーリ４０で上方へ直角に屈曲されて他端を中央のアーム３５Ｃの前端部に係止されていることにより、図１２に示す初期状態では前端が上になるように傾斜しているアーム３５Ｌ，３５Ｃ，３５Ｒが、ペダル７の踏み込みにより一斉に揺動されて、図１３に示すように、前端が下になるように傾斜した状態となる。
【００３９】
ハウジング２のメインベース２４の上方には、図１および図２において破線１４Ｌ，１４Ｃ，１４Ｒで示す位置に、前後方向に延びる細長いサブベースが水平に固設されており、各サブベース１４Ｌ，１４Ｃ，１４Ｒ上には、アーム３５Ｌ，３５Ｃ，３５Ｒの先端の上下動を、手袋開口機構の駆動部材４５Ｌ，４５Ｃ，４５Ｒが必要とする所定距離の上下動に縮小して、駆動部材４５Ｌ，４５Ｃ，４５Ｒにそれぞれ伝達するための、複数のリンク板からなるリンク機構４２Ｌ，４２Ｃ，４２Ｒ（詳細説明は省略）が設けられており、アーム３５Ｌ，３５Ｃ，３５Ｒの先端とリンク機構４２Ｌ，４２Ｃ，４２Ｒとは、各サブベース１４Ｌ，１４Ｃ，１４Ｒをそれぞれ貫通して上下方向に延びる連結部材４１Ｌ，４１Ｃ，４１Ｒによってそれぞれ連結されている。そしてリンク機構４２Ｌ，４２Ｃ，４２Ｒの終端に位置するリンク板４３Ｌ，４３Ｃ，４３Ｒの先端が、上下動する駆動部材４５Ｌ，４５Ｃ，４５Ｒにそれぞれ連結されている。
【００４０】
次の図１５は、初期状態における右手用手袋ＧＲの開口機構の要部の構成を示す正面図、図１６は、図１４の右半部を一部断面として拡大して示す平面図である。また、図１７は、爪板を保持した移動板の駆動機構を一部断面として拡大して示す正面図、図１８は、作動開始後の中間状態における右手用手袋ＧＲの開口機構の要部の構成を示す正面図、図１９は、作動状態における右手用手袋ＧＲの開口機構の要部の構成を示す正面図、図２０は、図１９の機構の右半部を一部断面として拡大して示す平面図である。なお、この手袋開口機構は、左右の手袋ＧＬ，ＧＲのそれぞれについて同一の構成を有し、かつ各手袋開口機構が正面図で見て右半部と左半部とが互いに鏡像関係を有するように構成されているから、右手用手袋ＧＲのための開口機構の右半部のみについて以下に詳細に説明する。なお、図１５以降の図には手袋受板１２が省略されている。
【００４１】
図７および図８で説明したように、最前列の手袋ＧＲの前面に沿って掌側部分の開口部エッジ８Ｄに向かって下降して手袋内に挿入される一対の爪板２２，２２のうち右方の爪板２２は、初期位置から図１４の右下方に向かって平行移動される左右方向に長い長方形の移動板５０に回動自在に軸支されている。
【００４２】
すなわち、図１５で右方に示されている爪板２２の連結部２２Ｃは、図１５から明らかなように、移動板５０の内側の後方隅部に爪板２２の右側縁に沿うように設けられた鉛直軸５１の上端に回動可能に軸支されているとともに、軸５１の下端からは、先端にローラ５２を備えて爪板２２と一体に回動する短いアーム５３が右方に突出している。このアーム５３は、その先端と移動板５０との間に架張された引張りスプリング５４によって、軸５１の周りで爪板２２とともに図１６の時計方向にバネ付勢され、かつ移動板５０の下面に固設されたストッパ５５にアーム５３が当接していることにより、爪板２２は、その前面が正面を向いた図１５に示す状態で中央の初期位置に保たれている。
【００４３】
サブベース１４Ｒ上には、図１５の紙面に対して垂直な左方を向いた保持面５９ａを備えた手袋保持部材５９が左右方向に若干距離移動可能に、かつスプリング６４によって左方へバネ付勢された態様で移動板５０の下方に設けられている。
【００４４】
また、サブベース１４Ｒ上には、左右方向に延びる一対のカム板５７，５７が移動板５０を前後から挟むように垂直に固定されている。各カム板５７には、それぞれ２条のカム溝５８，５８が併設され、各カム溝５８は、上方から斜め右下に延びるカム溝部５８ａと、このカム溝部５８ａの下端から右方へ水平に延びるカム溝部５８ｂとから構成されている。前後のカム板５７，５７にそれぞれ２条ずつ形成されたカム溝５８，５８は、図１５に示すように、正面から見て互いに一致する位置に形成されている。移動板５０の前後の側壁には、前後方向に水平に延びる軸線の周りで回動自在なローラ６０，６０がそれぞれカムフォロワとして突設されてカム溝部５８ａ，５８ａの最上部に係合している。
【００４５】
さらに、ブベース１４Ｒ上に立設された支柱６１には、図１７に拡大して示すような形状を有する回動アーム６２が、その基端部を支柱６１に軸支されて、図１６の紙面に平行な面内で回動自在に設けられている。この回動アーム６２は、図１７に仮想線で示す初期位置において基端部から左方へ水平に延びるアーム部６２ａと、このアーム部６２ａの途中から上方に突出するアーム部６２ｂとを備えて略逆Ｔ字状に形成され、アーム部６２ａの先端部にはこのアーム部６２ａに沿って延びる長孔６２ｃが形成され、上方に突出するアーム部６２ｂの先端にはローラ６３が設けられ、このローラ６３が、図１７に仮想線で示す駆動部材４５Ｒの上端に水平方向に延設された長孔４５ａに係合している。したがって、駆動部材４５Ｒが上方の初期位置から下方の作動位置へ下降するのに伴って、回動アーム６２は図１６に仮想線で示す初期位置から実線で示す作動位置まで反時計方向に回動される。
【００４６】
移動板５０は、図１６から明らかなように、その右端縁から中心線に沿って左方に切り込まれたスリット５０ａを備えているとともに、このスリット５０ａ内に、回動アーム６２のアーム部６２ａの先端部が挿入されている。そして、上記スリット５０ａ内には、左右方向で見てローラ６０，６０の中間に対応する位置に、前後方向（図１６の上下方向）に水平に延びる軸線の周りで回動自在なローラ６５が軸支され、このローラ６５が回動アーム６２のアーム部６２ａの長孔６２ｃに係合している。したがって、駆動部材４５Ｒが図１７に仮想線で示す上方の初期位置から、同じく仮想線で示す下方の作動位置まで下降するのに伴って、回動アーム６２が反時計方向に回動されることにより、移動板５０がその４個のローラ６０をカム溝部５８ａに沿って下降させながら、移動板５０が爪板２２とともに右下方に平行移動し、これにより爪板２２が手袋ＧＲの掌側部分の開口部エッジ８Ｄから手袋ＧＲ内に図８に示す態様で挿入され、ローラ６０，６０がそれぞれカム溝部５８ａ，５８ａの下端に達すると、右方の爪板２２は、図１８に示すように手袋ＧＲの開口部８の左右両端近傍に達する。
【００４７】
なお、爪板２２が上記のように手袋ＧＲ内に挿入されたとき、爪板２２の横部材２２Ｈは、その全体が手袋ＧＲ内に位置する状態となる。したがって、この横部材２２Ｈの上端面は、手袋ＧＲ内で横方向に延びる状態となる。
【００４８】
前述したように、移動板５０には、先端にローラ５２を備えて爪板２２と一体に回動可能なアーム５３が設けられているが、カム板５７の下方には、移動板５０が図１８に示す位置まで下降したときに、カムフォロワとしての上記ローラ５３と対向するカム面６６ａを備えたカム板６６が固定されている。
【００４９】
駆動部材４５Ｒがさらに図１７に実線で示す位置まで下降すると、移動板５０のローラ６０，６０はカム溝部５８ｂに沿って右方に水平に移動するから、移動板５０も図１７に実線で示す位置に達し、これに伴って、アーム５３のローラ５２がカム板６６のカム面６６ａに係合して、アーム５３はスプリング５４を伸ばしながら軸５１を中心に図１５の反時計方向に９０°回動され、これに伴って爪板２２も反時計方向に９０°回動されて、図１８および図１９に示すように、図１９の紙面に対し垂直な状態となり、手袋ＧＲの開口部８が開かれる。そして、図１９の紙面に対し垂直な状態になった爪板２２が、手袋ＧＲの開口部８の右側面を前述した保持部材５９の保持面５９ａに押し付けるから、保持部材５９はスプリング６４を圧縮しながら右方へ僅か後退し、その結果、開口された手袋ＧＲの開口部８の右側面は、スプリング６４のバネ付勢による押圧力によって、爪板２２と保持面５９ａとの間に挟着されて保持される。
【００５０】
この手袋開口機構は、図１５、図１８および図１９に示す正面図から明らかなように、手袋ＧＲの左右の中心に関して鏡像関係に構成されているから、左方の爪板２２も、左右両方向に延びる二股のアーム部を上端に備えた駆動部材４５Ｃによって右方の爪板２２と同様に駆動されて時計方向に回動され、手袋ＧＲの開口部８を開くとともに、開口された手袋ＧＲの開口部８の左側面も、スプリング６４のバネ付勢力によって爪板２２と保持面５９ａとの間に挟着され、手袋ＧＲの開口部８全体が、手指を挿入可能な大きさに開かれ、かつ手指を挿入可能な力で保持される。
【００５１】
また、これと同時に、左手用の手袋ＧＬの開口部８も、手指を挿入可能な大きさに開かれ、かつ手指を挿入可能な保持力をもって保持される。
【００５２】
この状態で、手袋ＧＬ，ＧＲの開口部８，８から両手の手指を挿入して手袋ＧＬ，ＧＲを装着した後、さらに手袋ＧＬ，ＧＲを下方へ押し込む力を両手に加えることによって、手袋ＧＬ，ＧＲの甲側部分の開口部エッジ８Ｕと係止孔１０，１０との間に延設されたミシン目１１，１１が破断し、係止孔１０，１０と開口部エッジ８Ｕとが連通するから、手袋ＧＬ，ＧＲを係止ロッド９，９から離脱させることができ、同時に爪板２２と保持面５９ａとの間に挟着された手袋ＧＬ，ＧＲを下方へ抜くことができる。そして、マガジン５Ｌ，５Ｒ内では，押圧板１５に押されて次の手袋ＧＬ，ＧＲが最前列にセットされる。
このようにして手袋ＧＬ，ＧＲを手指に装着した後、この手袋装着装置１から両手を抜き出し、それまで踏み込んでいたペダル７から足を離せば、ドア４Ｌ，４Ｒが閉じて、図１に示した初期状態に戻る。
【００５３】
ここで、上記のように開口部８，８から両手の手指を挿入して手袋ＧＬ，ＧＲを装着する際、手袋ＧＬ，ＧＲには、手指に誘われる形で下向きの力が加わることもある。しかしこのとき、前述した通り手袋ＧＬ，ＧＲ内には、爪板２２の横部材２２Ｈが完全に入り込んでいることにより、手袋ＧＬ，ＧＲが下方に動いてしまって装着感が損なわれることが防止される。すなわち、図２３に右手用手袋ＧＲを例に取って示すように、爪板２２と保持面５９ａとの間に挟着保持された手袋ＧＲは、その一部が、横部材２２Ｈの横方向に延びている上端面のエッジ部の上に多少載る状態となる。そこで、この状態下で手袋ＧＲに下向きの比較的小さな力が作用すると、手袋ＧＲの一部が上記エッジ部に軽く引っ掛かるので、手袋ＧＲが下方に動いてしまうことが防止される。
【００５４】
ただし、手袋の上記エッジ部への引っ掛かりは軽いものであるので、手袋装着の後、ミシン目１１，１１を破断させるために手指が強く下方に降ろされると、その引っ掛かりが外れて、爪板２２と保持面５９ａとの間に挟着された手袋ＧＬ，ＧＲを下方へ抜くことができる。
【００５５】
なお本実施の形態において、爪板２２は、横部材２２Ｈを含むその下方部分が手袋内側に向かって屈曲した形状とされているが、該下方部分はそのような屈曲形状としないで平板状に形成されても構わない。
【００５６】
また、上に説明した爪板２２に代えて、図２１に示すような爪板１２２を用いることもできる。この爪板１２２も爪板２２と同様に、略垂直方向に延びる縦部材１２２Ｖと、この縦部材１２２Ｖの下端から略水平方向に延びる横部材１２２Ｈと、上記縦部材１２２Ｖを駆動手段に連結するための連結部１２２Ｃとを有するものであるが、横部材１２２Ｈの上端面が、先端側に向かって徐々に下がる形状とされている。横部材１２２Ｈをそのような形状とすることにより、手袋装着の後、ミシン目１１，１１を破断させるために手指が強く下方に降ろされた際に、横部材１２２Ｈの上端面エッジ部への手袋の引っ掛かりが、より円滑に解除されるようになる。
【００５７】
さらに、上に説明した爪板２２に代えて、図２２に示すような爪板２２２を用いることもできる。この爪板２２２も爪板２２と同様に、略垂直方向に延びる縦部材２２２Ｖと、この縦部材２２２Ｖの下端から略水平方向に延びる横部材２２２Ｈと、上記縦部材２２２Ｖを駆動手段に連結するための連結部２２２Ｃとを有するものであるが、横部材２２２Ｈの上端面には、波状に繰り返す凹凸が形成されている。横部材２２２Ｈをそのような形状とすることにより、横部材２２２Ｈの上端面エッジ部への手袋の引っ掛かりを、より確実にすることができる。
【００５８】
以上の説明で明らかなように、上述した実施の形態によれば、掌側部分の開口部エッジ８Ｄを甲側部分の開口部エッジ８Ｕよりも指側に偏位させて形成するとともに、甲側部分の開口部エッジ８Ｕの近傍に、開口部８を上方に向けた状態で、かつ下方側の開口部エッジ８Ｄの上方において係止ロッド９，９の貫通による吊下げ係止を可能にする小孔１０，１０を設けた左右の手袋ＧＬ，ＧＲを用意し、これら手袋ＧＬ，ＧＲの各複数枚を、前後方向に延びる係止ロッド９，９に掌側を前方側にして挿通して、前後に並列的に整列させてマガジン５Ｌ，５Ｒ内に吊り下げておき、ペダル７の踏み込みによって、最前列の手袋の開口部エッジ８Ｄから爪板２２，２２を挿入して開口部８を手指挿入可能に開くようにしているから、最前列の手袋の開口部に手指を挿入するだけで、手袋の清潔性を損なうことなく瞬時に手袋を装着することができる。
【００５９】
そして、手袋ＧＬ，ＧＲの甲側部分の開口部エッジ８Ｕ近傍に形成した、係止ロッド９，９を挿通する小孔１０，１０と開口部エッジ８Ｕとの間にミシン目１１，１１のような容易に破断可能な脆弱部を設けたことにより、手袋装着後、僅かの力を加えることによってその手袋を係止ロッド９，９から外すことができることと相俟って、初期状態から、ペダル７を踏み込み、両手を手袋装着装置１内に入れて手袋ＧＬ，ＧＲを手指に装着し、手袋を装着した両手を手袋装着装置１から抜き出し、ペダル７を踏んでいる足を離すという一連の手袋装着動作が、僅か２秒という極めて短時間で完了することができるという優れた効果を奏することができる。
【００６０】
また、上記手袋開口機構が、最前列の手袋の、前側かつ下方側の開口部エッジ８Ｄからこの開口部エッジ８Ｄに対し略平行となる状態で手袋内に上方から挿入された後、鉛直方向に延びる軸５１の周りで略９０°回動されて手袋の開口部８を開く一対の爪板２２，２２を備えていることにより、手袋の開口部８を手指挿入可能な大きさに開くことが極めて容易となり、その場合に、マガジン５Ｌ，５Ｒ内に吊下げ収容された複数枚の手袋のうちの最後列の手袋を、下方側に位置する開口部エッジ８Ｄの近傍においてこの手袋の後側から前方に向かって弾性的に押圧する押圧ブロック１８，１８およびコイルスプリング１９を備えていることにより、吊り下げられた全手袋の下方側の開口部エッジ８Ｄ近傍の部位が前方に膨出した状態となり、これによって最前列の手袋の、前面を向いた開口部エッジ８Ｄが前方に開くから、その開口部エッジ８Ｄからの爪板２２，２２の挿入が容易になる。
【００６１】
さらに本実施の形態においては、上述したような構成を有する複数の手袋を前後に並列的に整列させた状態で吊下げる吊下げ手段として、手袋収容マガジン５Ｌ，５Ｒを用いていることにより、手袋装着装置１に対する手袋の装着、補充等が極めて容易となる利点もある。
【００６２】
さらに、本実施の形態においては、電源あるいは圧搾空気等のパワーソースを必要とせず、ドア開閉機構および手袋開口機構が、ペダル７の踏み込みのみにより純機械的に動作するように構成されているから、設置場所を選ばないで済む利点もある。
【符号の説明】
【００６３】
１    手袋装着装置
２    ハウジング
３Ｌ，３Ｒ    ドア部材
６    駆動ワイヤ
７    ペダル
８Ｕ，８Ｄ    開口部エッジ
９      係止ロッド
１０    小孔（被係止部）
１１    ミシン目（脆弱部）
１２    手袋受板
１４Ｌ，１４Ｃ，１４Ｒ    サブベース
１５    押圧板
２２、１２２、２２２    爪板
２２Ｃ、１２２Ｃ、２２２Ｃ    爪板の連結部
２２Ｈ、１２２Ｈ、２２２Ｈ    爪板の横部材
２２Ｖ、１２２Ｖ、２２２Ｖ    爪板の縦部材
２４    メインベース
２７    スライドベース
２８Ｌ，２８Ｒ    連結部材
４５Ｌ，４５Ｃ，４５Ｒ    駆動部材
５０    移動板
５７    カム板
５８    カム溝
【図１】
2015172259.tif 000003
【図２】
2015172259.tif 000004
【図３】
2015172259.tif 000005
【図４】
2015172259.tif 000006
【図５】
2015172259.tif 000007
【図６】
2015172259.tif 000008
【図７】
2015172259.tif 000009
【図８】
2015172259.tif 000010
【図９】
2015172259.tif 000011
【図１０】
2015172259.tif 000012
【図１１】
2015172259.tif 000013
【図１２】
2015172259.tif 000014
【図１３】
2015172259.tif 000015
【図１４】
2015172259.tif 000016
【図１５】
2015172259.tif 000017
【図１６】
2015172259.tif 000018
【図１７】
2015172259.tif 000019
【図１８】
2015172259.tif 000020
【図１９】
2015172259.tif 000021
【図２０】
2015172259.tif 000022
【図２１】
2015172259.tif 000023
【図２２】
2015172259.tif 000024
【図２３】
2015172259.tif 000025